(57)【要約】【課題】  斜め方向のコントラストを実用上十分に高く維持し、着色や階調つぶれを許容範囲内に抑えた垂直配向モードの液晶表示装置を確実に提供する。【解決手段】  垂直配向モードの液晶セル１１と偏光板１２との間に、面内方向のリターデーションがＲｐ〔ｎｍ〕の正の１軸性フィルム１４、当該フィルム１４と偏光板１２との間に、厚み方向のリターデーションがＲｎ〔ｎｍ〕の負の１軸性フィルム１５を配する。さらに、各偏光板１２・１３の基材フィルムの厚み方向のリターデーションをＲｔａｃ〔ｎｍ〕、上記Ｒｐに関するパラメータα１〔ｎｍ〕を３５＋（Ｒｌｃ／８０−４）2 ×３．５＋（３６０−Ｒｌｃ）×Ｒｔａｃ／８５０、上記Ｒｎに関するパラメータβ１〔ｎｍ〕をＲｌｃ−１．９×Ｒｔａｃとするとき、上記Ｒｐをα１の８０％〜１２０％に、上記Ｒｎを上記β１の６０％〜９０％に設定する。【選択図】  図１
2005266829.tif 000002
【特許請求の範囲】
【請求項１】
液晶を挟持すると共に当該液晶の液晶分子を表面に概ね垂直に配向させる２枚の基板が設けられた液晶セルと、当該液晶セルの両側に配され、それぞれの吸収軸が互いに直交するように配された２枚の偏光板と、上記両偏光板の一方および上記液晶セルの間に配され、正の１軸異方性を有する第１位相差フィルムと、当該偏光板および第１位相差フィルムの間に配され、負の１軸異方性を有する第２位相差フィルムとを備え、
上記両偏光板には、光軸が上記基板に概ね垂直になるように配置され、負の１軸異方性を有する基材フィルムが設けられ、上記第１位相差フィルムの遅相軸は、上記液晶から見て同じ側の上記偏光板の吸収軸と直交するように配され、上記第２位相差フィルムの光軸が上記基板に概ね垂直になるように配されている液晶表示装置において、
上記第１位相差フィルムの面内方向のリターデーションをＲｐ〔ｎｍ〕、上記第２位相差フィルムの厚み方向のリターデーションをＲｎ〔ｎｍ〕、上記基材フィルムの厚み方向のリターデーションをＲｔａｃ〔ｎｍ〕、上記液晶の厚み方向のリターデーションをＲｌｃ〔ｎｍ〕とし、
上記Ｒｐに関するパラメータα〔ｎｍ〕を、
α＝３５＋（Ｒｌｃ／８０−４）2 ×３．５
＋（３６０−Ｒｌｃ）×Ｒｔａｃ／８５０
上記Ｒｎに関するパラメータβ〔ｎｍ〕を、
β＝Ｒｌｃ−１．９×Ｒｔａｃ
とするとき、
上記リターデーションＲｐは、上記αの８０％以上かつ１２０％以下の値に設定されていると共に、上記リターデーションＲｎは、上記βの６０％以上かつ９０％以下の値に設定されていることを特徴とする液晶表示装置。
【請求項２】
上記液晶の厚み方向のリターデーションＲｌｃは、３２４〔ｎｍ〕から３９６〔ｎｍ〕までの範囲に設定され、上記第１位相差フィルムの面内方向のリターデーションＲｐが、３０．７〔ｎｍ〕から４１．７〔ｎｍ〕までの範囲に設定されていることを特徴とする請求項１記載の液晶表示装置。
【請求項３】
上記リターデーションＲｐが上記αの９０％以上かつ１１０％以下の値に設定されていると共に、上記リターデーションＲｎが上記βの６５％以上かつ８５％以下の値に設定されていることを特徴とする請求項１記載の液晶表示装置。
【請求項４】
上記液晶の厚み方向のリターデーションＲｌｃは、３４２〔ｎｍ〕から３７８〔ｎｍ〕までの範囲に設定され、上記第１位相差フィルムの面内方向のリターデーションＲｐが、３３．３〔ｎｍ〕から３８．６〔ｎｍ〕までの範囲に設定されていることを特徴とする請求項３記載の液晶表示装置。
【請求項５】
液晶を挟持すると共に当該液晶の液晶分子を表面に概ね垂直に配向させる２枚の基板が設けられた液晶セルと、当該液晶セルの両側に配され、それぞれの吸収軸が互いに直交するように配された２枚の偏光板と、上記両偏光板の一方および上記液晶セルの間に配され、２軸異方性を有する位相差フィルムとを備え、
上記両偏光板には、光軸が上記基板に概ね垂直になるように配置され、負の１軸異方性を有する基材フィルムが設けられ、上記位相差フィルムの面内の遅相軸は、上記液晶から見て同じ側の上記偏光板の吸収軸と直交するように配されている液晶表示装置において、
上記位相差フィルムの面内方向のリターデーションをＲｘｙ〔ｎｍ〕、上記位相差フィルムの厚み方向のリターデーションをＲｚ〔ｎｍ〕、上記基材フィルムの厚み方向のリターデーションをＲｔａｃ〔ｎｍ〕、上記液晶の厚み方向のリターデーションをＲｌｃ〔ｎｍ〕とし、
上記Ｒｘｙに関するパラメータα〔ｎｍ〕を、
α＝８５−０．０９×Ｒｌｃ−Ｒｔａｃ／２０
上記Ｒｚに関するパラメータβ〔ｎｍ〕を、
β＝１．０５×Ｒｌｃ−１．９×Ｒｔａｃ
とするとき、
上記リターデーションＲｘｙは、上記αの８０％以上かつ１２０％以下の値に設定されていると共に、上記リターデーションＲｚは、上記βの６０％以上かつ９０％以下の値に設定されていることを特徴とする液晶表示装置。
【請求項６】
液晶を挟持すると共に当該液晶の液晶分子を表面に概ね垂直に配向させる２枚の基板が設けられた液晶セルと、当該液晶セルの両側に配され、それぞれの吸収軸が互いに直交するように配された２枚の偏光板と、上記両偏光板の一方および上記液晶セルの間に配され、２軸異方性を有する第１位相差フィルムと、上記両偏光板の他方および上記液晶セルの間に配され、２軸異方性を有する第２位相差フィルムとを備え、
上記両偏光板には、光軸が上記基板に概ね垂直になるように配置され、負の１軸異方性を有する基材フィルムが設けられ、上記第１および第２位相差フィルムの面内の遅相軸は、上記液晶から見て同じ側の上記偏光板の吸収軸と直交するように配されている液晶表示装置において、
上記各位相差フィルムの面内方向のリターデーションをＲｘｙ〔ｎｍ〕、上記各位相差フィルムの厚み方向のリターデーションをＲｚ〔ｎｍ〕、上記基材フィルムの厚み方向のリターデーションをＲｔａｃ〔ｎｍ〕、上記液晶の厚み方向のリターデーションをＲｌｃ〔ｎｍ〕とし、
上記Ｒｘｙに関するパラメータα〔ｎｍ〕を、
α＝４２．５−０．０４５×Ｒｌｃ−Ｒｔａｃ／４０
上記Ｒｚに関するパラメータβ〔ｎｍ〕を、
β＝０．５２５×Ｒｌｃ−０．９５×Ｒｔａｃ
とするとき、
上記第１および第２位相差フィルムのリターデーションＲｘｙは、上記αの８０％以上かつ１２０％以下の値に設定されていると共に、上記第１および第２位相差フィルムのリターデーションＲｚは、上記βの６０％以上かつ９０％以下の値に設定されていることを特徴とする液晶表示装置。
【請求項７】
上記リターデーションＲｘｙが上記αの９０％以上かつ１１０％以下の値に設定されていると共に、上記リターデーションＲｚが上記βの６５％以上かつ８５％以下の値に設定されていることを特徴とする請求項５または６記載の液晶表示装置。
【発明の詳細な説明】
【技術分野】
【０００１】
本発明は、垂直配向方式の液晶表示装置に関するものである。
【背景技術】
【０００２】
従来から、液晶表示装置は、ワードプロセッサやコンピュータの画面として広く使用されており、近年では、テレビの画面としても急速に普及している。これらの液晶表示装置の多くは、ＴＮ（Twisted Nematic）モードを採用しているが、当該液晶表示装置には、斜め方向から見たときに、コントラストが低下しやすく、階調特性が反転しやすいという問題がある。
【０００３】
したがって、近年では、斜め方向からの視角特性を向上させるために、ＶＡ（Verticically Alignment)モードの液晶表示装置が注目されるようになっている。当該モードの液晶表示装置の液晶セルは、負の誘電異方性を有するネマチック液晶と垂直配向膜とを組み合わせて構成されている。
【０００４】
さらに、例えば、後述の特許文献や特許文献２では、図１６および図１７に示すように、黒表示時における液晶セル１１１の光学異方性を光学的に補償するために、液晶セル１１１と偏光板１１２との間に、２軸性フィルム１１６を配した液晶表示装置１０１、あるいは、液晶セル１１１と偏光板１１２との間に正の１軸性フィルム１１４を配し、当該正の１軸性フィルム１１４と偏光板１１２との間に負の１軸性フィルム１１５を配した液晶表示装置１０１ａが開示されている。
【０００５】
上記構成では、液晶分子が垂直配向している液晶セル１１１を斜め方向から見た場合に、液晶セル１１１が極角に応じた位相差を透過光に与えているにも拘わらず、各フィルム１１６（１１４・１１５）のリターデーションが適切に設定されていれば、各フィルム１１６（１１４・１１５）によって、当該位相差が補償される。したがって、正面方向から見た場合、すなわち、液晶分子が透過光の偏光状態を維持する場合と略同様に、黒表示できる。この結果、斜め方向から見た場合の光漏れを防止でき、コントラストを向上できると共に、着色や階調つぶれの発生を抑制できる。
【特許文献１】特許第２９４７５３０号公報
【特許文献２】特開２０００−３９６１０号公報
【発明の開示】
【発明が解決しようとする課題】
【０００６】
しかしながら、今日では、さらなる広視野角、高表示品位の液晶表示装置が望まれる状況下において、斜め方向から見た場合の着色や階調つぶれの改善が要求されているが、上記の特許文献１や特許文献２に記載されたリターデーションの各フィルム１１６（１１４・１１５）を用いた場合は、必ずしも充分であるとは言えず、未だ改善の余地を残している。
【０００７】
本発明は、上記した課題に鑑み、垂直配向モードの液晶表示装置において、斜め方向からの見た場合における着色や階調つぶれ抑制に適した各フィルムのリターデーションに対し、偏光板の基材フィルムが与える影響を考察した結果なされたものであって、その目的は、斜め方向から見た場合のコントラストを実用上十分高い値に維持しながら、着色や階調つぶれが実用上許容範囲内に抑えられた液晶表示装置を確実に提供することにある。
【課題を解決するための手段】
【０００８】
本発明に係る液晶表示装置は、上記課題を解決するために、液晶を挟持すると共に当該液晶の液晶分子を表面に概ね垂直に配向させる２枚の基板が設けられた液晶セルと、当該液晶セルの両側に配され、それぞれの吸収軸が互いに直交するように配された２枚の偏光板と、上記両偏光板の一方および上記液晶セルの間に配され、正の１軸異方性を有する第１位相差フィルムと、当該偏光板および第１位相差フィルムの間に配され、負の１軸異方性を有する第２位相差フィルムとを備え、上記両偏光板には、光軸が上記基板に概ね垂直になるように配置され、負の１軸異方性を有する基材フィルムが設けられ、上記第１位相差フィルムの遅相軸は、上記液晶から見て同じ側の上記偏光板の吸収軸と直交するように配され、上記第２位相差フィルムの光軸が上記基板に概ね垂直になるように配されている液晶表示装置において、以下の手段を講じたことを特徴としている。
【０００９】
すなわち、上記第１位相差フィルムの面内方向のリターデーションをＲｐ〔ｎｍ〕、上記第２位相差フィルムの厚み方向のリターデーションをＲｎ〔ｎｍ〕、上記基材フィルムの厚み方向のリターデーションをＲｔａｃ〔ｎｍ〕、上記液晶の厚み方向のリターデーションをＲｌｃ〔ｎｍ〕とし、上記Ｒｐに関するパラメータα〔ｎｍ〕を、α＝３５＋（Ｒｌｃ／８０−４）2 ×３．５＋（３６０−Ｒｌｃ）×Ｒｔａｃ／８５０、上記Ｒｎに関するパラメータβ〔ｎｍ〕を、β＝Ｒｌｃ−１．９×Ｒｔａｃとするとき、上記リターデーションＲｐは、上記αの８０％以上かつ１２０％以下の値に設定されていると共に、上記リターデーションＲｎは、上記βの６０％以上かつ９０％以下の値に設定されている。
【００１０】
上記構成の液晶表示装置において、基板に概ね垂直に配向している液晶分子が基板の法線方向から入射した光に対して位相差を与えないにも拘わらず、斜めから入射した光に対しては、極角（法線方向からの傾斜角）に応じた位相差を与えてしまうので、第１および第２位相差フィルムがないと、本来、出射側の偏光板によって吸収すべき光が、完全には吸収されない。この結果、光漏れが発生して、コントラストを低下させると共に、着色や階調つぶれが発生してしまう。
【００１１】
これに対して、上記構成では、上記第１および第２位相差フィルムが設けられているので、上記液晶が極角に応じて与えてしまった位相差が両位相差フィルムによって補償される。この結果、斜め方向から見た場合の光漏れを防止し、コントラストを向上すると共に、着色や階調つぶれの発生を防止できる。
【００１２】
ただし、上記両位相差フィルムのリターデーションを決定する際、基材フィルムが無い場合に最適な上記第１および第２位相差フィルムが有する厚み方向のリターデーションから、上記基材フィルムが有する厚み方向のリターデーションを引き算するだけでは、斜め方向から見た場合における、着色や階調つぶれのさらなる抑制が要求される状況下では、必ずしも十分であるとは言えない。
【００１３】
そこで、本願発明者は、垂直配向モードの液晶表示装置を斜め方向から見た場合におけるコントラストを実用上十分に高い値に維持したまま、着色や階調つぶれをさらに抑制すべく、研究を重ねた結果、基材フィルムの厚み方向のリターデーションは、上記第１および第２位相差フィルムの厚み方向のリターデーションと同等に作用するわけではないことを見出し、特に、正の１軸異方性を有する第１位相差フィルムの面内方向のリターデーションＲｐを上記コントラストが最大になるように設定する際、液晶の有するリターデーションが３６０〔ｎｍ〕を超えているか否かによって、上記基材フィルムの厚み方向のリターデーションに対する上記リターデーションＲｐの依存性が逆転すること、並びに、コントラストが最大になるような上記各リターデーションを基準に、所定の範囲に設定することによって、着色や階調つぶれを効果的に抑制できることを見出し、本発明を完成させるに至った。
【００１４】
本発明の液晶表示装置では、上記基材フィルムおよび液晶の厚み方向のリターデーションＲｔａｃおよびＲｌｃに応じ、しかも、斜め方向から見た場合のコントラストを実用上十分に高い値に維持したまま、着色や階調つぶれを許容できる範囲に、上記リターデーションＲｐおよびＲｎを設定している。これにより、基材フィルムの厚み方向のリターデーションを上記第１および第２位相差フィルムの厚み方向のリターデーションと同等に扱う場合と異なり、上記斜め方向から見た場合のコントラストが実用上十分に高い値に維持され、しかも、着色や階調つぶれが許容範囲内に抑えられた液晶表示装置を確実に得ることができる。
【００１５】
また、生産性の向上が特に要求される場合には、上記構成に加えて、上記液晶の厚み方向のリターデーションＲｌｃは、３２４〔ｎｍ〕から３９６〔ｎｍ〕までの範囲に設定され、上記第１位相差フィルムの面内方向のリターデーションＲｐが、３０．７〔ｎｍ〕から４１．７〔ｎｍ〕までの範囲に設定されている方が望ましい。
【００１６】
上記リターデーションＲｌｃが当該範囲に設定されていれば、上記基材フィルムの厚み方向のリターデーションに対する上記リターデーションＲｐの依存性が少ない。したがって、基材フィルムに製造バラツキが発生して、基材フィルムの厚み方向のリターデーションが変化しても、上記リターデーションＲｐを上述の範囲に設定することで、当該リターデーションＲｐを上記αの８０％〜１２０％の範囲に設定できる。この結果、基材フィルムの厚み方向のリターデーションにバラツキが発生する場合であっても、同じ上記第１位相差フィルムを用いることができ、生産性を向上できる。
【００１７】
さらに、上記着色や階調つぶれの抑制が特に要求される場合には、上記構成に加えて、上記リターデーションＲｐが上記αの９０％以上かつ１１０％以下の値に設定されていると共に、上記リターデーションＲｎが上記βの６５％以上かつ８５％以下の値に設定されている方が望ましい。これにより、斜め方向から見た場合の着色や階調つぶれがさらに抑制された液晶表示装置を得ることができる。
【００１８】
また、上記着色や階調つぶれの抑制と生産性の向上との双方が特に要求される場合には、上記構成に加えて、上記液晶の厚み方向のリターデーションＲｌｃは、３４２〔ｎｍ〕から３７８〔ｎｍ〕までの範囲に設定され、上記第１位相差フィルムの面内方向のリターデーションＲｐが、３３．３〔ｎｍ〕から３８．６〔ｎｍ〕までの範囲に設定されている方が望ましい。
【００１９】
上記リターデーションＲｌｃおよびＲｐが当該範囲に設定されていれば、基材フィルムに製造バラツキが発生して、基材フィルムの厚み方向のリターデーションが変化しても、上記リターデーションＲｐを上記αの９０％〜１１０％の範囲に設定できる。この結果、基材フィルムの厚み方向のリターデーションにバラツキが発生する場合であっても、同じ上記第１位相差フィルムを用いることができ、生産性を向上できる。
【００２０】
一方、本発明に係る液晶表示装置は、上記課題を解決するために、液晶を挟持すると共に当該液晶の液晶分子を表面に概ね垂直に配向させる２枚の基板が設けられた液晶セルと、当該液晶セルの両側に配され、それぞれの吸収軸が互いに直交するように配された２枚の偏光板と、上記両偏光板の一方および上記液晶セルの間に配され、２軸異方性を有する位相差フィルムとを備え、上記両偏光板には、光軸が上記基板に概ね垂直になるように配置され、負の１軸異方性を有する基材フィルムが設けられ、上記位相差フィルムの面内の遅相軸は、上記液晶から見て同じ側の上記偏光板の吸収軸と直交するように配されている液晶表示装置において、以下の手段を講じたことを特徴としている。
【００２１】
すなわち、上記位相差フィルムの面内方向のリターデーションをＲｘｙ〔ｎｍ〕、上記位相差フィルムの厚み方向のリターデーションをＲｚ〔ｎｍ〕、上記基材フィルムの厚み方向のリターデーションをＲｔａｃ〔ｎｍ〕、上記液晶のあつみ方向のリターデーションをＲｌｃ〔ｎｍ〕とし、上記Ｒｘｙに関するパラメータα〔ｎｍ〕を、α＝８５−０．０９×Ｒｌｃ−Ｒｔａｃ／２０、上記Ｒｚに関するパラメータβ〔ｎｍ〕を、β＝１．０５×Ｒｌｃ−１．９×Ｒｔａｃとするとき、上記リターデーションＲｘｙは、上記αの８０％以上かつ１２０％以下の値に設定されていると共に、上記リターデーションＲｚは、上記βの６０％以上かつ９０％以下の値に設定されている。
【００２２】
また、本発明に係る液晶表示装置は、上記課題を解決するために、液晶を挟持すると共に当該液晶の液晶分子を表面に概ね垂直に配向させる２枚の基板が設けられた液晶セルと、当該液晶セルの両側に配され、それぞれの吸収軸が互いに直交するように配された２枚の偏光板と、上記両偏光板の一方および上記液晶セルの間に配され、２軸異方性を有する第１位相差フィルムと、上記両偏光板の他方および上記液晶セルの間に配され、２軸異方性を有する第２位相差フィルムとを備え、上記両偏光板には、光軸が上記基板に概ね垂直になるように配置され、負の１軸異方性を有する基材フィルムが設けられ、上記第１および第２位相差フィルムの面内の遅相軸は、上記液晶から見て同じ側の上記偏光板の吸収軸と直交するように配されている液晶表示装置において、以下の手段を講じたことを特徴としている。
【００２３】
すなわち、上記各位相差フィルムの面内方向のリターデーションをＲｘｙ〔ｎｍ〕、上記各位相差フィルムの厚み方向のリターデーションをＲｚ〔ｎｍ〕、上記基材フィルムの厚み方向のリターデーションをＲｔａｃ〔ｎｍ〕、上記液晶の厚み方向のリターデーションをＲｌｃ〔ｎｍ〕とし、上記Ｒｘｙに関するパラメータα〔ｎｍ〕を、α＝４２．５−０．０４５×Ｒｌｃ−Ｒｔａｃ／４０、上記Ｒｚに関するパラメータβ〔ｎｍ〕を、β＝０．５２５×Ｒｌｃ−０．９５×Ｒｔａｃとするとき、上記第１および第２位相差フィルムのリターデーションＲｘｙは、上記αの８０％以上かつ１２０％以下の値に設定されていると共に、上記第１および第２位相差フィルムのリターデーションＲｚは、上記βの６０％以上かつ９０％以下の値に設定されている。
【００２４】
上記各構成の液晶表示装置では、液晶分子が基板に概ね垂直に配向している状態で、液晶が斜め方向の光に与えた位相差は、上記位相差フィルム、あるいは、第１および第２位相差フィルムによって補償され、斜め方向から見た場合の光漏れを防止し、コントラストを向上できる。
【００２５】
しかしながら、当該構成であっても、上記位相差フィルムあるいは第１および第２位相差フィルムのリターデーションを決定する際、基材フィルムが無い場合に最適な各位相差フィルムが有する厚み方向のリターデーションから、上記基材フィルムが有する厚み方向のリターデーションを引き算するだけでは、斜め方向から見た場合における、着色や階調つぶれのさらなる抑制が要求される状況下では、必ずしも十分であるとは言えない。
【００２６】
そこで、本願発明者は、垂直配向モードの液晶表示装置を斜め方向から見た場合のコントラストをさらに向上すべく、研究を重ねた結果、上述の液晶表示装置と同様に、基材フィルムの厚み方向のリターデーションは、上記位相差フィルム、あるいは、第１および第２位相差フィルムの厚み方向のリターデーションと同等に作用するわけではないことを見出した。さらに、２軸異方性を有する面内方向のリターデーションＲｘｙと、基材フィルムの厚み方向のリターデーションＲｔａｃとは、リターデーションの方向が互いに異なっているにも拘わらず、上記リターデーションＲｘｙを適切に設定するためには、リターデーションＲｔａｃの影響も加味すべきこと、並びに、コントラストが最大になるような上記各リターデーションを基準に、所定の範囲に設定することによって、着色や階調つぶれを効果的に抑制できることを見出し、本発明を完成させるに至った。
【００２７】
本発明の液晶表示装置では、位相差フィルム、あるいは、第１および第２位相差フィルムの面内方向のリターデーションＲｘｙと厚み方向のリターデーションＲｚとを設定する際、上記液晶および基材フィルムの厚み方向のリターデーションＲｌｃおよびＲｔａｃに応じて設定すると共に、斜め方向から見た場合のコントラストが実用上十分に高い値に維持したまま、着色や階調つぶれを許容できる範囲に、上記リターデーションＲｘｙおよびＲｚを設定している。これにより、基材フィルムの厚み方向のリターデーションを、位相差フィルム、あるいは、上記第１および第２位相差フィルムの厚み方向のリターデーションと同等に扱う場合と異なり、上記斜め方向から見た場合のコントラストが実用上十分に高い値に維持され、しかも、着色や階調つぶれが許容範囲内に抑えられた液晶表示装置を確実に得ることができる。
【００２８】
また、上記着色や階調つぶれの抑制が特に要求される場合には、上記各構成に加えて、上記リターデーションＲｘｙが上記αの９０％以上かつ１１０％以下の値に設定されていると共に、上記リターデーションＲｚが上記βの６５％以上かつ８５％以下の値に設定されている方が望ましい。この結果、斜め方向から見た場合の着色や階調つぶれがさらに抑制された液晶表示装置を得ることができる。
【００２９】
さらに、本発明に係る液晶表示装置は、上記各位相差フィルムが２軸異方性を有するか否かに拘わらず、上記液晶は、負の誘電異方性を有している方が望ましい。
【００３０】
当該構成によれば、基板に対して略垂直方向の電界を印加することによって、基板の法線方向に配向した液晶分子を電界強度に応じて傾斜させることができ、正の誘電異方性を有している場合よりも、電極の構造を簡略化できる。
【発明の効果】
【００３１】
本発明に係る液晶表示装置は、以上のように、両偏光板の一方および液晶セルの間に配され、正の１軸異方性を有する第１位相差フィルムの面内方向のリターデーションをＲｐ〔ｎｍ〕、上記偏光板および第１位相差フィルムの間に配され、負の１軸異方性を有する第２位相差フィルムの厚み方向のリターデーションをＲｎ〔ｎｍ〕、上記偏光板の基材フィルムの厚み方向のリターデーションをＲｔａｃ〔ｎｍ〕、上記液晶の厚み方向のリターデーションをＲｌｃ〔ｎｍ〕とし、上記Ｒｐに関するパラメータα〔ｎｍ〕を、α＝３５＋（Ｒｌｃ／８０−４）2 ×３．５＋（３６０−Ｒｌｃ）×Ｒｔａｃ／８５０、上記Ｒｎに関するパラメータβ〔ｎｍ〕を、β＝Ｒｌｃ−１．９×Ｒｔａｃとするとき、上記リターデーションＲｐは、上記αの８０％以上かつ１２０％以下の値に設定されていると共に、上記リターデーションＲｎは、上記βの６０％以上かつ９０％以下の値に設定されている構成である。
【００３２】
これらの構成によれば、第１および第２位相差フィルムのリターデーションが上述の範囲に設定されているので、基材フィルムの厚み方向のリターデーションを、上記第１および第２位相差フィルムの厚み方向のリターデーションと同等に扱う場合と異なり、斜め方向から見た場合のコントラストが実用上十分に高い値に維持され、しかも、着色や階調つぶれが許容範囲内に抑えられた液晶表示装置を確実に得ることができるという効果を奏する。
【００３３】
本発明に係る液晶表示装置は、以上のように、上記構成に加えて、上記液晶の厚み方向のリターデーションＲｌｃは、３２４〔ｎｍ〕から３９６〔ｎｍ〕までの範囲に設定され、上記第１位相差フィルムの面内方向のリターデーションＲｐが、３０．７〔ｎｍ〕から４１．７〔ｎｍ〕までの範囲に設定されている構成である。
【００３４】
それゆえ、基材フィルムに製造バラツキが発生して、基材フィルムの厚み方向のリターデーションが変化しても、上記リターデーションＲｌｃおよびＲｐを上述の範囲に設定することで、当該リターデーションＲｐを上記αの８０％〜１２０％の範囲に設定できる。この結果、基材フィルムの厚み方向のリターデーションにバラツキが発生する場合であっても、同じ上記第１位相差フィルムを用いることができ、生産性を向上できるという効果を奏する。
【００３５】
本発明に係る液晶表示装置は、以上のように、上記構成に加えて、上記リターデーションＲｐが上記αの９０％以上かつ１１０％以下の値に設定されていると共に、上記リターデーションＲｎが上記βの６５％以上かつ８５％以下の値に設定されている構成である。これにより、斜め方向から見た場合の着色や階調つぶれがさらに抑制された液晶表示装置を得ることができるという効果を奏する。
【００３６】
本発明に係る液晶表示装置は、以上のように、上記構成に加えて、上記液晶の厚み方向のリターデーションＲｌｃは、３４２〔ｎｍ〕から３７８〔ｎｍ〕までの範囲に設定され、上記第１位相差フィルムの面内方向のリターデーションＲｐが、３３．３〔ｎｍ〕から３８．６〔ｎｍ〕までの範囲に設定されている構成である。
【００３７】
それゆえ、基材フィルムに製造バラツキが発生して、基材フィルムの厚み方向のリターデーションが変化しても、上記リターデーションＲｌｃおよびＲｐを上述の範囲に設定することで、当該リターデーションＲｐを上記αの９０％〜１１０％の範囲に設定できる。この結果、基材フィルムの厚み方向のリターデーションにバラツキが発生する場合であっても、同じ上記第１位相差フィルムを用いることができ、生産性を向上できるという効果を奏する。
【００３８】
本発明に係る液晶表示装置は、以上のように、両偏光板の一方および上記液晶セルの間に配され、２軸異方性を有する位相差フィルムのリターデーションをＲｘｙ〔ｎｍ〕、上記位相差フィルムの厚み方向のリターデーションをＲｚ〔ｎｍ〕、上記基材フィルムの厚み方向のリターデーションをＲｔａｃ〔ｎｍ〕、上記液晶のあつみ方向のリターデーションをＲｌｃ〔ｎｍ〕とし、上記Ｒｘｙに関するパラメータα〔ｎｍ〕を、α＝８５−０．０９×Ｒｌｃ−Ｒｔａｃ／２０、上記Ｒｚに関するパラメータβ〔ｎｍ〕を、β＝１．０５×Ｒｌｃ−１．９×Ｒｔａｃとするとき、上記リターデーションＲｘｙは、上記αの８０％以上かつ１２０％以下の値に設定されていると共に、上記リターデーションＲｚは、上記βの６０％以上かつ９０％以下の値に設定されている構成である。
【００３９】
本発明に係る液晶表示装置は、以上のように、液晶セルの両側に配され、２軸異方性を有する第１および第２位相差フィルムの面内方向のリターデーションをＲｘｙ〔ｎｍ〕、厚み方向のリターデーションをＲｚ〔ｎｍ〕、上記Ｒｘｙに関するパラメータα〔ｎｍ〕を、α＝４２．５−０．０４５×Ｒｌｃ−Ｒｔａｃ／４０、上記Ｒｚに関するパラメータβ〔ｎｍ〕を、β＝０．５２５×Ｒｌｃ−０．９５×Ｒｔａｃとするとき、上記第１および第２位相差フィルムのリターデーションＲｘｙは、上記αの８０％以上かつ１２０％以下の値に設定されていると共に、上記第１および第２位相差フィルムのリターデーションＲｚは、上記βの６０％以上かつ９０％以下の値に設定されている構成である。
【００４０】
上記各構成の液晶表示装置では、上記各構成の液晶表示装置では、上記リターデーションＲｘｙ、Ｒｙが上述のように設定されているので、基材フィルムの厚み方向のリターデーションを、上記位相差フィルム、あるいは、上記第１および第２位相差フィルムの厚み方向のリターデーションと同等に扱う場合と異なり、斜め方向から見た場合のコントラストが実用上十分に高い値に維持され、しかも、着色や階調つぶれが許容範囲内に抑えられた液晶表示装置を確実に得ることができるという効果を奏する。
【００４１】
本発明に係る液晶表示装置は、以上のように、上記各構成に加えて、上記リターデーションＲｘｙが上記αの９０％以上かつ１１０％以下の値に設定されていると共に、上記リターデーションＲｚが上記βの６５％以上かつ８５％以下の値に設定されている構成である。この結果、斜め方向から見た場合の着色や階調つぶれがさらに抑制された液晶表示装置を得ることができるという効果を奏する。
【００４２】
本発明に係る液晶表示装置は、以上のように、上記各位相差フィルムが２軸異方性を有するか否かに拘わらず、上記液晶は、負の誘電異方性を有している構成である。
【００４３】
当該構成によれば、基板に対して略垂直方向の電界を印加することによって、基板の法線方向に配向した液晶分子を電界強度に応じて傾斜させることができ、正の誘電異方性を有している場合よりも、電極の構造を簡略化できるという効果を奏する。
【発明を実施するための最良の形態】
【００４４】
〔第１の実施形態〕
本発明の一実施形態について図１ないし図７に基づいて説明すると以下の通りである。なお、詳細は後述するように、本発明は、他の液晶セルにも適用できるが、以下では、好適な一例として、マルチドメイン配向の液晶セルについて説明する。
【００４５】
本実施形態に係る液晶表示装置１は、図１に示すように、垂直配向（ＶＡ）方式の液晶セル１１と、当該液晶セル１１の両側に配された偏光板１２・１３と、一方の偏光板１２および液晶セル１１の間に配された正の１軸性フィルム（第１位相差フィルム）１４と、当該正の１軸性フィルム１４および偏光板１２の間に配された負の１軸性フィルム（第２位相差フィルム）１５とを積層して構成されている。
【００４６】
上記液晶セル１１は、図２に示すように、画素に対応する画素電極２１ａ（後述）が設けられたＴＦＴ（Thin Film Transistor）基板１１ａと、対向電極２１ｂが設けられた対向基板１１ｂと、両基板１１ａ・１１ｂにて挟持され、負の誘電異方性を有するネマチック液晶からなる液晶層１１ｃとを備えている。なお、本実施形態に係る液晶表示装置１は、カラー表示可能であり、上記対向基板１１ｂには、各画素の色に対応するカラーフィルタが形成されている。
【００４７】
さらに、上記画素電極２１ａが形成されたＴＦＴ基板１１ａには、液晶層１１ｃ側の表面に垂直配向膜２２ａが形成されている。同様に、上記対向電極２１ｂが形成された対向基板１１ｂの液晶層１１ｃ側の表面には、垂直配向膜２２ｂが形成されている。これにより、上記両電極２１ａ・２１ｂ間に電圧が印加されていない状態において、両基板１１ａ・１１ｃ間に配された液晶層１１ｃの液晶分子Ｍが、上記基板１１ａ・１１ｂ表面に対して垂直に配向する。また、両電極２１ａ・２１ｂ間に電圧が印加されると、液晶分子Ｍは、上記基板１１ａ・１１ｂの法線方向に沿った状態（電圧無印加状態）から、印加電圧に応じた傾斜角で傾斜する（図３参照）。なお、両基板１１ａ・１１ｂが対向しているので、特に区別する必要がある場合を除いて、それぞれの法線方向および面内方向を、単に法線方向あるいは面内方向と称する。
【００４８】
ここで、本実施形態に係る液晶セル１１は、マルチドメイン配向の液晶セルであって、各画素が複数の範囲（ドメイン）に分割され、配向方向、すなわち、電圧印加時に液晶分子Ｍが傾斜する際の方位（傾斜角の面内成分）が、各ドメイン間で異なるように制御されている。
【００４９】
具体的には、図４に示すように、上記画素電極２１ａには、断面形状が山型で、面内の形状がジグザグと略直角に曲がる突起列２３ａ…が、ストライプ状に形成されている。同様に、上記対向電極２１ｂには、法線方向の形状が山型で、面内の形状がジグザグと略直角に曲がる突起列２３ｂ…が、ストライプ状に形成されている。これらの両突起列２３ａ・２３ｂの面内方向における間隔は、突起列２３ａの斜面の法線と突起列２３ｂの斜面の法線とが略一致するように配されている。また、上記各突起列２３ａ・２３ｂは、上記画素電極２１ａおよび対向電極２１ｂ上に感光性樹脂を塗布し、フォトリソグラフィー工程で加工することで形成されている。
【００５０】
ここで、突起列２３ａの近傍では、液晶分子が斜面に垂直になるように配向する。加えて、電圧印加時において、突起列２３ａの近傍の電界は、突起列２３ａの斜面に平行になるように傾く。ここで、液晶分子は、長軸が電界に垂直な方向に傾き、液晶の連続性によって、突起列２３ａの斜面から離れた液晶分子も斜面近傍の液晶分子と同様の方向に配向する。同様にして、電圧印加時において、突起列２３ｂの近傍の電界は、突起列２３ｂの斜面に平行になるように傾く。ここで、液晶分子は、長軸が電界に垂直な方向に傾き、液晶の連続性によって、突起列２３ｂの斜面から離れた液晶分子も斜面近傍の液晶分子と同様の方向に配向する。
【００５１】
これらの結果、各突起列２３ａ…および２３ｂ…において、角部Ｃ以外の部分を線部と称すると、突起列２３ａの線部Ｌ２３ａと突起列２３ｂの線部Ｌ２３ｂとの間の領域では、電圧印加時における液晶分子の配向方向の面内成分は、線部Ｌ２３ａから線部２３ｂへの方向の面内成分と一致する。
【００５２】
ここで、各突起列２３ａ・２３ｂは、角部Ｃで略直角に曲がっている。したがて、液晶分子の配向方向は、画素内で４分割され、画素内に、液晶分子の配向方向が互いに異なるドメインＤ１〜Ｄ４を形成できる。
【００５３】
一方、図１に示す偏光板１２・１３は、それぞれ、偏光フィルム１２ａ・１３ｂと、偏光フィルム１２ａ・１３ａを保持する基材フィルムとしてのトリアセチルセルロース（ＴＡＣ）フィルム１２ｂ・１３ｂとを備えている。上記両ＴＡＣフィルム１２ａ・１３ａは、負の１軸光学異方性を有しており、それぞれの光軸は、液晶セル１１の法線方向と略一致するように設定されている。また、上記両偏光板１２・１３は、偏光板１２の吸収軸ＡＡ１２と偏光板１３の吸収軸ＡＡ１３とが直交するように配置されている。さらに、両偏光板１２・１３は、それぞれの吸収軸ＡＡ１２・ＡＡ１３と、電圧印加時における、上記各ドメインＤ１〜Ｄ４の液晶分子の配向方向の面内成分とが、４５度の角度をなすように配置されている。
【００５４】
また、液晶セル１１の一方に積層された正の１軸性フィルム１４は、フィルム面内方向の屈折率をｎｘｐおよびｎｙｐ、法線方向の屈折率をｎｚｐとしたとき、ｎｘｐ＞ｎｙｐ＝ｎｚｐなる特性を持った光学異方性フィルムであって、面内方向のリターデーションＲｐは、フィルム厚をｄｐとしたとき、以下の式（１）に示すように、
Ｒｐ＝ｄｐ・（ｎｘｐ−ｎｙｐ）                                      …（１）
で算出される。さらに、正の１軸性フィルム１４は、その遅相軸ＳＬ１４が、液晶セル１１から見て同じ側の偏光板１２の吸収軸ＡＡ１２と直交するように配されている。
【００５５】
一方、液晶セル１１の他方に積層された負の１軸性フィルム１５は、フィルム面内の屈折率をｎｘｎおよびｎｙｎ、法線方向の屈折率をｎｚｎとしたとき、ｎｘｎ＝ｎｙｎ＞ｎｚｎなる特性を持った光学異方性フィルムであり、厚み方向のリターデーションＲｎは、フィルム厚をｄｎとしたとき、以下の式（２）に示すように、
Ｒｎ＝ｄｎ・{（ｎｘｎ＋ｎｙｎ）／２−ｎｚｎ}                        …（２）
で算出される。また、負の１軸性フィルム１５は、その光軸が液晶セル１１の法線方向と略一致するように配されている。
【００５６】
上記構成の液晶表示装置１では、画素電極２１ａと対向電極２１ｂとの間に電圧を印加している間、液晶セル１１の液晶分子は、図３に示すように、法線方向に対して、電圧に応じた角度だけ傾斜配向している。これにより、液晶セル１１を通過する光には、電圧に応じた位相差が与えられる。
【００５７】
ここで、両偏光板１２・１３の吸収軸ＡＡ１２・ＡＡ１３は、互いに直交するように配置されており、詳細は後述するように、正の１軸性フィルム１４および負の１軸性フィルム１５は、液晶セル１１の液晶分子が図２に示すように法線方向に配向している場合に液晶セル１１が透過光に与えてしまう位相差を補償するように構成されている。
【００５８】
したがって、出射側の偏光板（例えば、１２）へ入射する光は、液晶セル１１が与える位相差に応じた楕円偏光になり、当該入射光の一部が偏光板１２を通過する。この結果、印加電圧に応じて偏光板１２からの出射光量を制御でき、階調表示が可能となる。
【００５９】
さらに、上記液晶セル１１では、画素内に、液晶分子の配向方向が互いに異なるドメインＤ１〜Ｄ４が形成されている。したがって、あるドメイン（例えば、Ｄ１）に属する液晶分子の配向方向に平行な方向から液晶セル１１を見た結果、当該液晶分子が透過光に位相差を与えることができない場合であっても、残余のドメイン（この場合は、Ｄ２〜Ｄ４）の液晶分子は、透過光に位相差を与えることができる。したがって、各ドメイン同士が、互いに光学的に補償し合うことができる。この結果、液晶セル１１を斜め方向から見た場合の表示品位を改善し、視野角を拡大できる。
【００６０】
一方、画素電極２１ａと対向電極２１ｂとの間に電圧を印加していない間、液晶セル１１の液晶分子は、図２に示すように、垂直配向状態にある。この状態（電圧無印加時）では、法線方向から液晶セル１１へ入射した光は、各液晶分子によって位相差が与えられず、偏光状態を維持したままで液晶セル１１を通過する。この結果、出射側の偏光板（例えば、１２）へ入射する光は、偏光板１２の吸収軸ＡＡ１２に略平行な方向の直線偏光となり、偏光板１２を通過することができない。この結果、液晶表示装置１は、黒を表示できる。
【００６１】
ここで、斜め方向から液晶セル１１に入射した光には、液晶分子によって、液晶分子の配向方向との間の角度、すなわち、入射光と液晶セル１１の法線方向との間の角度（極角）に応じた位相差が与えられる。したがって、正の１軸性フィルム１４および負の１軸性フィルム１５がなければ、偏光板１２に入射する光は、極角に応じた楕円偏光となり、その一部が偏光板１２を通過してしまう。この結果、本来黒表示であるべき、垂直配向状態であるにも拘らず、光漏れが発生し、表示のコントラストが低下すると共に、着色や階調つぶれが発生する虞れがある。
【００６２】
ところが、図１に示す構成では、正の１軸性フィルム１４および負の１軸性フィルム１５が設けられているので、それぞれのリターデーションが適切に設定されていれば、液晶セル１１が極角に応じて与えた位相差を打ち消すことができる。この結果、光漏れを防止して、斜め方向から見た場合のコントラストを向上できると共に、着色や階調つぶれを防止できる。
【００６３】
ここで、本実施形態に係る液晶表示装置１では、斜め視角の表示品位として、実使用上十分高いコントラストを維持しつつ、良好な色味および良好な階調特性を示す液晶表示装置を得るために、より詳細には、斜め方向から見た場合のコントラストを１０以上と、実用上十分に高い値に保ちながら、上記方向からの観察者が着色および階調つぶれを殆ど感じないようにするために、正の１軸性フィルム１４および負の１軸性フィルム１５のリターデーションが以下のように設定されている。
【００６４】
具体的には、ＴＡＣフィルム１２ｂ・１３ｂの厚み方向のリターデーションをＲｔａｃ〔ｎｍ〕、上記リターデーションＲｐに関するパラメータα１〔ｎｍ〕を、以下の式（３）に示すように、
α１＝３５＋（Ｒｌｃ／８０−４）2 ×３．５
＋（３６０−Ｒｌｃ）×Ｒｔａｃ／８５０                        …（３）
とすると、正の１軸性フィルム１４の面内方向のリターデーションＲｐは、α１の８０％以上かつ１２０％以下の値に設定されている。
【００６５】
また、液晶セル１１の厚み方向のリターデーションをＲｌｃ〔ｎｍ〕、上記リターデーションＲｎに関するパラメータβ１〔ｎｍ〕を、以下の式（４）に示すように、
β１＝Ｒｌｃ−１．９×Ｒｔａｃ                                      …（４）
とすると、負の１軸性フィルム１５の厚み方向のリターデーションＲｎは、β１の６０％以上かつ９０％以下の値に設定されている。
【００６６】
このように、上記リターデーションＲｐ・Ｒｎを、上記パラメータα１・β１を基準にして、図５に示す範囲Ａ１に設定することによって、液晶表示装置１を斜め方向から見た場合のコントラストを１０以上と、実用上十分に高い値に保ちながら、上記斜め方向からの観察者が着色および階調つぶれを殆ど感じず、良好な視野角特性を持った液晶表示装置１を確実に得ることができる。
【００６７】
さらに、上記範囲Ａ１の外周部よりも内部の方が、上記観察者によって把握される着色および階調つぶれが減少するが、特に、図５に示す範囲Ａ２のように、上記リターデーションＲｐを上記α１の９０％以上かつ１１０％以下の値に設定すると共に、上記リターデーションＲｎを上記β１の６５％以上かつ８５％以下に設定することによって、さらに良好な視野角特性を持った液晶表示装置１を実現できる。
【００６８】
なお、当該領域Ａ２内では、上記着色および階調つぶれの改善効果が上記観察者によって認識されず、上記着色および階調つぶれの改善効果が実質上飽和している。したがって、当該領域Ａ２内に設定することによって、同程度の良好な表示品位を有する液晶表示装置１を実現できる。また、上記リターデーションＲｐを上記α１と同一に設定し、上記リターデーションＲｎを上記β１と同一に設定すると、斜め方向から見た場合のコントラストが最大になる。さらに、上記リターデーションＲｐを上記α１の８０％〜１２０％に設定し、上記リターデーションＲｎを上記β１の８５％〜９０％に設定すれば、着色や階調つぶれを許容範囲内に抑え、しかも、上記領域Ａ２に比較してコントラストを向上できる。
【００６９】
ここで、上記式（３）から明らかなように、正の１軸性フィルム１４の面内方向のリターデーションＲｐの最適値がＴＡＣフィルム１２ｂ・１３ｂの厚み方向のリターデーションＲｔａｃに応じて増加するか減少するかは、液晶セル１１の厚み方向のリターデーションＲｌｃによって変化している。そして、上記液晶セル１１のリターデーションＲｌｃが３６０〔ｎｍ〕を境に、最適な上記リターデーションＲｐの上記リターデーションＲｔａｃに対する依存性が逆転している。
【００７０】
したがって、液晶セル１１の厚み方向のリターデーションＲｌｃを３６０〔ｎｍ〕に設定することによって、上記リターデーションＲｔａｃに拘わらず、正の１軸性フィルム１４の面内方向のリターデーションＲｐを３５．９〔ｎｍ〕に固定できる。
【００７１】
また、上記リターデーションＲｌｃが３２４〔ｎｍ〕から３９６〔ｎｍ〕の範囲であり、上記リターデーションＲｐが３０．７〔ｎｍ〕〜４１．７〔ｎｍ〕の範囲であれば、上記リターデーションＲｔａｃが一般的な値、すなわち、３０〔ｎｍ〕〜８０〔ｎｍ〕程度であれば、上記リターデーションＲｐは、上記α１の８０％〜１２０％の範囲におさまる。この結果、上記リターデーションＲｎを上記β１の６０％〜９０％に設定することによって、液晶表示装置１を斜め方向から見た場合のコントラストを１０以上と、実用上十分に高い値に保ちながら、上記斜め方向からの観察者が着色および階調つぶれを殆ど感じず、良好な視野角特性を持った液晶表示装置１を確実に得ることができる。
【００７２】
したがって、生産性の向上が重視される場合は、液晶セル１１の厚み方向のリターデーションＲｌｃを３２４〔ｎｍ〕から３９６〔ｎｍ〕の範囲、かつ、正の１軸性フィルム１４の面内方向のリターデーションＲｐを３０．７〔ｎｍ〕〜４１．７〔ｎｍ〕の範囲に設定することが望ましい。
【００７３】
これにより、ＴＡＣフィルム１２ｂ・１３ｂの製造バラツキにより上記リターデーションＲｔａｃが変動する場合であっても、面内方向のリターデーションＲｐが同じ値の正の１軸性フィルム１４を用いて、上記良好な視野角特性を持った液晶表示装置１を実現できる。この結果、ＴＡＣフィルム１２ｂ・１３ｂに製造バラツキがある場合でも、正の１軸性フィルム１４の種類を固定でき、生産性を向上できる。
【００７４】
さらに、生産性の向上と、より良好な視野角特性との双方が重視される場合は、上記リターデーションＲｌｃを３４２〔ｎｍ〕から３７８〔ｎｍ〕の範囲に設定し、上記リターデーションＲｐを３３．３〔ｎｍ〕から３８．６〔ｎｍ〕の範囲に設定することが望ましい。この場合は、上記リターデーションＲｔａｃが一般的な値、すなわち、３０〔ｎｍ〕〜８０〔ｎｍ〕程度であれば、上記リターデーションＲｐが、上記α１の９０％〜１１０％の範囲におさまる。したがって、リターデーションＲｎを上記β１の６５％〜８５％に設定することによって、上記領域Ａ２内の液晶表示装置１、すなわち、極めて良好な視野角特性を持った液晶表示装置１を実現できる。また、この場合も、ＴＡＣフィルム１２ｂ・１３ｂの製造バラツキにより上記リターデーションＲｔａｃが変動する場合であっても、正の１軸性フィルム１４の種類を固定でき、生産性を向上できる。
【００７５】
〔実施例１〕
本実施例では、液晶セル１１として、液晶層１１ｃの屈折率異方性Δｎが０．０８であり、厚み（セル厚ｄｌｃが、それぞれ、３．０〔μｍ〕、４．０〔μｍ〕および５．０〔μｍ〕の液晶セル、すなわち、厚み方向のリターデーションＲｌｃ（＝ｄｌｃ・Δｎ）が、それぞれ、２４０〔ｎｍ〕、３２０〔ｎｍ〕および４００〔ｎｍ〕の液晶セルを用意した。また、ＴＡＣフィルム１２ｂ・１３ｂとして、厚み方向のリターデーションＲｔａｃが、それぞれ０〔ｎｍ〕、３０〔ｎｍ〕、５０〔ｎｍ〕、８０〔ｎｍ〕のＴＡＣフィルムを用意した。さらに、上記各液晶セル１１およびＴＡＣフィルム１２ｂ・１３ｂの組み合わせのそれぞれについて、斜め方向から見た場合のコントラストが最大となるＲｐおよびＲｎを求めた。この結果、図６に示すような実験結果が得られた。
【００７６】
なお、コントラストを測定する際、液晶表示装置１が実際に使用される場合の視野角が、液晶セル１１の法線からの角度（極角）が０度〜６０度であり、極角が大きくなる程、コントラストが低下することから、図７に示すように、極角が６０度の方向からコントラストを測定した。また、コントラストを測定する際の方位（面内での方向）は、コントラストが偏光フィルム１２ａ・１３ａの吸収軸ＡＡ１２・ＡＡ１３を基準に４５度の方位で最も低下することから、両吸収軸ＡＡ１２・ＡＡ１３を基準に４５度の方位から測定した。
【００７７】
これにより、図１に示すように、負の１軸性フィルム１５と液晶セル１１との間に正の１軸性フィルム１４を配した積層順序では、正の１軸性フィルム１４の面内方向のリターデーションＲｐが上述のパラメータα１と同一であり、負の１軸性フィルム１５の厚み方向のリターデーションＲｎが上述のパラメータβ１と同一の場合に、最大のコントラストの液晶表示装置１が得られることを確認できた。また、上記実験結果から、上述の式（３）および（４）が算出できた。
【００７８】
さらに、上記で用意した液晶セル１１の場合、上記で用意したような一般的なＴＡＣフィルム１２ｂ・１３ｂ（Ｒｔａｃ＝３０、５０、８０〔ｎｍ〕）であれば、正の１軸性フィルム１４の面内方向のリターデーションＲｐの最適値は、３５〜４９〔ｎｍ〕であり、液晶セル１１の厚みが３．０〔μｍ〕および４．０〔μｍ〕の場合、すなわち、液晶セル１１の厚み方向のリターデーションＲｌｃが２４０〔ｎｍ〕および３２０〔ｎｍ〕の場合、上記リターデーションＲｔａｃの増加に伴なって増加することが確認できた。また、液晶セル１１の厚みが５．０〔μｍ〕の場合（上記リターデーションＲｌｃが４００〔ｎｍ〕）の場合は、上記リターデーションＲｐの最適値が上記リターデーションＲｔａｃの増加に伴なって減少することも確認できた。
【００７９】
さらに、液晶セル１１の厚み方向のリターデーションＲｌｃを３６０〔ｎｍ〕に設定することによって、上記リターデーションＲｔａｃが変化しても、上記斜め方向から見た場合のコントラストが最大となる上記リターデーションＲｐが殆ど一定であることが確認できた。
【００８０】
加えて、上記リターデーションＲｐおよびＲｎをそれぞれ５％ずつ変化させながら、観察者が各液晶表示装置１の着色および階調つぶれを上記斜め方向から評価した。特に、観察者は、着色現象の有無として、上記斜め方向において、白が黄色や青みがかった色にシフトする現象の有無を評価し、階調つぶれの有無として、明るい領域の階調がつぶれ映像の表現力が低下する現象の有無を評価した。
【００８１】
これによって、液晶セル１１の厚み方向のリターデーションＲｌｃ、および、ＴＡＣフィルム１２ｂ・１３ｂのリターデーションＲｔａｃが、上記値のいずれであっても、上記リターデーションＲｐが、上記パラメータα１の８０％以上かつ１２０％以下の値であり、しかも、上記リターデーションＲｎが、上記パラメータβ１の６０％以上かつ９０％以下の値であれば、上記斜め方向（極角６０度）におけるコントラストが１０を超え、実使用上、十分なコントラストを維持していることも確認できた。さらに、上記リターデーションＲｐおよびＲｎが上記範囲に設定されていれば、液晶表示装置１は、上記斜め方向からの観察者が着色および階調つぶれを殆ど感じず、良好な視野角特性を示すことが確認された。また、上記リターデーションＲｐが、パラメータα１の８０％より小さいか１２０％よりも大きい場合、および、上記リターデーションＲｎが、パラメータβ１の６０％より小さいか９０％よりも大きい場合は、上記斜め方向からの観察者によって、例えば、白が黄色や青みがかった色にシフトする着色現象、あるいは、明るい領域における階調つぶれによって映像の表現力が低下する現象が明確に確認され、観察者が着色や階調つぶれを許容できないことも確認された。
【００８２】
加えて、液晶セル１１の厚み方向のリターデーションＲｌｃ、および、ＴＡＣフィルム１２ｂ・１３ｂのリターデーションＲｔａｃが、上記値のいずれであっても、上記リターデーションＲｐが、上記パラメータα１の９０％以上かつ１１０％以下の値であり、しかも、上記リターデーションＲｎが、上記パラメータβ１の６５％以上かつ８５％以下の値であれば、上記リターデーションＲｐが上記パラメータα１の８０％〜９０％または１１０％〜１２０％、あるいは、上記リターデーションＲｎが上記パラメータβ１の６０％〜６５％または８５％〜９０％の場合に比べて、上記斜め方向からの観察者によって把握される着色および階調つぶれが減少することが確認できた。
【００８３】
また、上記リターデーションＲｐが、上記パラメータα１の９０％以上かつ１１０％以下の値であり、しかも、上記リターデーションＲｎが、上記パラメータβ１の６５％以上かつ８５％以下の値であれば、上記着色および階調つぶれの改善効果が実質上飽和し、上記斜め方向からの観察者は、各リターデーションＲｐおよびＲｎが当該範囲に設定されている複数の液晶表示装置１同士の間で、着色および階調つぶれの相違を確認できず、同程度の良好な表示品位が得られることを確認できた。
【００８４】
なお、上記領域Ａ２におけるリターデーションＲｐの中心値は、上記斜め方向からコントラストを最大にする上記リターデーションＲｐ（＝α１）の１００％（同一の値）であることが確認できた。一方、上記領域Ａ２におけるリターデーションＲｎの中心値は、上記斜め方向からコントラストを最大にする上記リターデーションＲｎ（＝β１）の７５％であり、負の１軸性フィルム１５の厚み方向のリターデーションＲｎをコントラストの最適値β１よりも小さく設定する方が着色現象や階調つぶれを改善できることも確認できた。
【００８５】
また、上記リターデーションＲｐを上記α１の８０％〜１２０％に設定し、上記リターデーションＲｎを上記β１の８５％〜９０％に設定すれば、着色や階調つぶれを許容範囲内に抑え、しかも、上記領域Ａ２に比較してコントラストを向上できることが確認できた。
【００８６】
さらに、液晶セル１１のリターデーションＲｌｃを３２４〔ｎｍ〕〜３９６〔ｎｍ〕に設定し、正の１軸性フィルム１４の面内方向のリターデーションＲｐを３０．７〔ｎｍ〕〜４１．７〔ｎｍ〕に設定することによって、上記リターデーションＲｔａｃが一般的な値であれば、液晶表示装置１を斜め方向から見た場合のコントラストが１０以上であり、上記斜め方向からの観察者が着色および階調つぶれを殆ど感じないことを確認できた。また、上記リターデーションＲｌｃが３４２〔ｎｍ〕〜３７８〔ｎｍ〕であり、上記リターデーションＲｐが３３．３〔ｎｍ〕〜３８．６〔ｎｍ〕であれば、上記斜め方向からの観察者が着色および階調つぶれの点で上記リターデーションＲｐ・Ｒｎが領域Ａ２内の値に設定された各液晶表示装置１との相違を認識できないことも確認できた。
【００８７】
〔第２の実施形態〕
本実施形態に係る液晶表示装置１ａは、図１に示す液晶表示装置１の構成に類似しているが、正の１軸性フィルム１４および負の１軸性フィルム１５に代えて、図８に示すように、液晶セル１１と偏光板１２との間に、２軸性フィルム（位相差フィルム）１６が積層されている。
【００８８】
上記２軸性フィルム１６は、フィルム面内方向の屈折率をｎｘ２およびｎｙ２、法線方向の屈折率をｎｚ２としたとき、ｎｘ２＞ｎｙ２＞ｎｚ２なる特性を持った光学異方性フィルムであって、面内方向のリターデーションＲｘｙおよび厚み方向のリターデーションＲｚは、フィルム厚をｄ２としたとき、以下の式（５）および式（６）に、それぞれ示すように、
Ｒｘｙ＝ｄ２・（ｎｘ２−ｎｙ２）                                    …（５）
Ｒｚ＝ｄ２・{（ｎｘ２＋ｎｙ２）／２−ｎｚ２}                        …（６）
で算出される。また、２軸性フィルム１６は、その面内の遅相軸ＳＬ１６が、液晶セル１１から見て同じ側の偏光板１２の吸収軸ＡＡ１２と直交するように配されている。
【００８９】
この場合であっても、液晶分子が垂直配向している液晶セル１１を斜め方向から見た場合に、液晶セル１１によって透過光に与えられる位相差が２軸性フィルム１６によって補償されるため、２軸性フィルム１６のリターデーションが適切に設定されていれば、斜め方向から見た場合のコントラストを向上できる。
【００９０】
さらに、本実施形態に係る液晶表示装置１ａでは、斜め視角の表示品位として、実使用上十分高いコントラストを維持しつつ、良好な色味および良好な階調特性を示す液晶表示装置を得るために、より詳細には、斜め方向から見た場合のコントラストを１０以上と、実用上十分に高い値に保ちながら、上記方向からの観察者が着色および階調つぶれを殆ど感じないようにするために、２軸性フィルム１６のリターデーションが以下のように設定されている。
【００９１】
具体的には、ＴＡＣフィルム１２ｂ・１３ｂの厚み方向のリターデーションをＲｔａｃ〔ｎｍ〕、上記面内方向のリターデーションＲｘｙに関するパラメータα２〔ｎｍ〕を、以下の式（７）に示すように、
α２＝８５−０．０９×Ｒｌｃ−Ｒｔａｃ／２０                        …（７）
とすると、２軸性フィルム１６の面内方向のリターデーションＲｘｙは、α２の８０％以上かつ１２０％以下の値に設定されている。
【００９２】
また、液晶セル１１の厚み方向のリターデーションをＲｌｃ〔ｎｍ〕、上記リターデーションＲｚに関するパラメータβ２〔ｎｍ〕を、以下の式（８）に示すように、
β２＝１．０５×Ｒｌｃ−１．９×Ｒｔａｃ                            …（８）
とすると、２軸性フィルム１６の厚み方向のリターデーションＲｚは、β２の６０％以上かつ９０％以下の値に設定されている。
【００９３】
このように、上記リターデーションＲｘｙ・Ｒｚを、上記パラメータα２・β２を基準にして、図９に示す範囲Ａ１に設定することによって、液晶表示装置１ａを斜め方向から見た場合のコントラストを１０以上と、実用上十分に高い値に保ちながら、上記斜め方向からの観察者が着色および階調つぶれを殆ど感じず、良好な視野角特性を持った液晶表示装置１ａを確実に得ることができる。
【００９４】
さらに、上記範囲Ａ１の外周部よりも内部の方が、上記観察者によって把握される着色および階調つぶれが減少するが、特に、図９に示す範囲Ａ２のように、上記リターデーションＲｘｙを上記α２の９０％以上かつ１１０％以下の値に設定すると共に、上記リターデーションＲｚを上記β２の６５％以上かつ８５％以下に設定することによって、さらに良好な視野角特性を持った液晶表示装置１ａを実現できる。
【００９５】
なお、当該領域Ａ２内では、上記着色および階調つぶれの改善効果が上記観察者によって認識されず、上記着色および階調つぶれの改善効果が実質上飽和している。したがって、当該領域Ａ２内に設定することによって、同程度の良好な表示品位を有する液晶表示装置１ａを実現できる。また、上記リターデーションＲｘｙを上記α２と同一に設定し、上記リターデーションＲｚを上記β２と同一に設定すると、斜め方向から見た場合のコントラストが最大になる。さらに、上記リターデーションＲｘｙを上記α２の８０％〜１２０％に設定し、上記リターデーションＲｚを上記β２の８５％〜９０％に設定すれば、着色や階調つぶれを許容範囲内に抑え、しかも、上記領域Ａ２に比較してコントラストを向上できる。
【００９６】
また、図１０に示す液晶表示装置１ｂのように、図８の２軸性フィルム１６を、２軸性フィルム１６ａおよび１６ｂの２枚に分割し、両２軸性フィルム１６ａ・１６ｂを液晶セル１１の両側に配してもよい。なお、この場合は、２軸性フィルム１６ａ・１６ｂが特許請求の範囲に記載の第１および第２位相差フィルムに対応する。
【００９７】
この場合、２軸性フィルム１６ａは、面内方向の遅相軸ＳＬ１６ａが、液晶セル１１から見て同じ側の偏光板１２の吸収軸ＡＡ１２と直交するように配される。同様に、２軸性フィルム１６ｂの遅相軸ＳＬ１６ｂは、液晶セル１１から見て同じ側の偏光板１３の吸収軸ＡＡ１３と直交するように配される。この場合であっても、各２軸性フィルム１６ａ・１６ｂの面内方向のリターデーションＲｘｙａおよびＲｘｙｂを、上記２軸性フィルム１６の面内方向のリターデーションＲｘｙの半分に設定し、各２軸性フィルム１６ａ・１６ｂの厚み方向のリターデーションＲｚａ・Ｒｚｂを、上記２軸性フィルム１６の厚み方向のリターデーションＲｚの半分に設定することによって、同様の効果が得られる。
【００９８】
具体的には、ＴＡＣフィルム１２ｂ・１３ｂの厚み方向のリターデーションをＲｔａｃ〔ｎｍ〕、上記面内方向のリターデーションＲｘｙａおよびＲｘｙｂに関するパラメータα３〔ｎｍ〕を、以下の式（９）に示すように、
α３＝４２．５−０．０４５×Ｒｌｃ−Ｒｔａｃ／４０                  …（９）
とすると、２軸性フィルム１６ａ・１６ｂの面内方向のリターデーションＲｘｙａ・Ｒｘｙｂは、それぞれ、α３の８０％以上かつ１２０％以下の値に設定されている。
【００９９】
また、液晶セル１１の厚み方向のリターデーションをＲｌｃ〔ｎｍ〕、上記リターデーションＲｚａ・Ｒｚｂに関するパラメータβ３〔ｎｍ〕を、以下の式（10）に示すように、
β３＝０．５２５×Ｒｌｃ−０．９５×Ｒｔａｃ                        …（10）
とすると、２軸性フィルム１６ａ・１６ｂの厚み方向のリターデーションＲｚａＲｚｂは、それぞれ、β３の６０％以上かつ９０％以下の値に設定されている。
【０１００】
これにより、液晶表示装置１ａと同様に、液晶表示装置１ｂを斜め方向から見た場合のコントラストを１０以上と、実用上十分に高い値に保ちながら、上記斜め方向からの観察者が着色および階調つぶれを殆ど感じず、良好な視野角特性を持った液晶表示装置１ｂを確実に得ることができる。
【０１０１】
さらに、上記液晶表示装置１ａと同様に、上記範囲Ａ１の外周部よりも内部の方が、上記観察者によって把握される着色および階調つぶれが減少するが、特に、図９に示す範囲Ａ２のように、上記リターデーションＲｘｙａ・Ｒｘｙｂを、それぞれ、上記α３の９０％以上かつ１１０％以下の値に設定すると共に、上記リターデーションＲｚａ・Ｒｚｂを上記β３の６５％以上かつ８５％以下に設定することによって、さらに良好な視野角特性を持った液晶表示装置１ｂを実現できる。
【０１０２】
なお、上記液晶表示装置１ａと同様に、当該領域Ａ２内では、上記着色および階調つぶれの改善効果が上記観察者によって認識されず、上記着色および階調つぶれの改善効果が実質上飽和している。したがって、当該領域Ａ２内に設定することによって、同程度の良好な表示品位を有する液晶表示装置１ｂを実現できる。また、上記リターデーションＲｘｙａ・Ｒｘｙｂを上記α３と同一に設定し、上記リターデーションＲｚａ・Ｒｚｂを上記β３と同一に設定すると、斜め方向から見た場合のコントラストが最大になる。さらに、上記リターデーションＲｘｙａ・Ｒｘｙｂを上記α３の８０％〜１２０％に設定し、上記リターデーションＲｚａ・Ｒｚｂを上記β３の８５％〜９０％に設定すれば、着色や階調つぶれを許容範囲内に抑え、しかも、上記領域Ａ２に比較してコントラストを向上できる。
【０１０３】
〔実施例２〕
本実施例では、上述の実施例１と同様の液晶セル１１とＴＡＣフィルム１２ｂ・１３ｂとを用意し、両者の組み合わせのそれぞれについて、実施例１と同じ斜め方向から見た場合のコントラストが最大となるＲｘｙおよびＲｚを求めた。これにより、図１１に示す実験結果が得られた。
【０１０４】
図８に示すように、液晶セル１１と偏光板１２・１３の一方（図の場合は、偏光板１２）との間に２軸性フィルム１６を配した積層順序では、２軸性フィルム１６の面内方向のリターデーションＲｘｙが上述のパラメータα２と同一であり、２軸性フィルム１６の厚み方向のリターデーションＲｚが上述のパラメータβ２と同一の場合に、最大のコントラストの液晶表示装置１ａが得られることを確認できた。また、上記実験結果を一次式で近似することによって、上述の式（７）および（８）が算出できた。
【０１０５】
さらに、上記で用意した液晶セル１１の場合、上記で用意したような一般的なＴＡＣフィルム１２ｂ・１３ｂ（Ｒｔａｃ＝３０、５０、８０〔ｎｍ〕）であれば、面内方向のリターデーションＲｘｙの最適値は、４５〜６５〔ｎｍ〕であり、リターデーションＲｔａｃは、厚み方向のリターデーションであるにも拘わらず、２軸性フィルム１６の面内方向のリターデーションＲｘｙに影響を及ぼしており、ＴＡＣフィルム１２ｂ・１３ｂの影響を単純には取り扱うことができないことも確認できた。
【０１０６】
加えて、上記リターデーションＲｘｙおよびＲｚをそれぞれ５％ずつ変化させながら観察者が各液晶表示装置１ａの着色および階調つぶれを上記斜め方向から評価した。特に、観察者は、着色現象の有無として、上記斜め方向において、白が黄色や青みがかった色にシフトする現象の有無を評価し、階調つぶれの有無として、明るい領域の階調がつぶれ映像の表現力が低下する現象の有無を評価した。
【０１０７】
これによって、液晶セル１１の厚み方向のリターデーションＲｌｃ、および、ＴＡＣフィルム１２ｂ・１３ｂのリターデーションＲｔａｃが、上記値のいずれであっても、上記リターデーションＲｘｙが、上記パラメータα２の８０％以上かつ１２０％以下の値であり、しかも、上記リターデーションＲｚが、上記パラメータβ２の６０％以上かつ９０％以下の値であれば、上記斜め方向（極角６０度）におけるコントラストが１０を超え、実使用上、十分なコントラストを維持していることも確認できた。さらに、上記リターデーションＲｘｙおよびＲｚが上記範囲に設定されていれば、液晶表示装置１ａは、上記斜め方向からの観察者が着色および階調つぶれを殆ど感じず、良好な視野角特性を示すことが確認された。また、上記リターデーションＲｘｙが、パラメータα２の８０％より小さいか１２０％よりも大きい場合、および、上記リターデーションＲｚが、パラメータβ２の６０％より小さいか９０％よりも大きい場合は、上記斜め方向からの観察者によって、例えば、白が黄色や青みがかった色にシフトする着色現象、あるいは、明るい領域における階調つぶれによって映像の表現力が低下する現象が明確に確認され、観察者が着色や階調つぶれを許容できないことも確認された。
【０１０８】
加えて、液晶セル１１の厚み方向のリターデーションＲｌｃ、および、ＴＡＣフィルム１２ｂ・１３ｂのリターデーションＲｔａｃが、上記値のいずれであっても、上記リターデーションＲｘｙが、上記パラメータα２の９０％以上かつ１１０％以下の値であり、しかも、上記リターデーションＲｚが、上記パラメータβ２の６５％以上かつ８５％以下の値であれば、上記リターデーションＲｘｙが上記パラメータα２の８０％〜９０％または１１０％〜１２０％、あるいは、上記リターデーションＲｚが上記パラメータβ２の６０％〜６５％または８５％〜９０％の場合に比べて、上記斜め方向からの観察者によって把握される着色および階調つぶれが減少することが確認できた。
【０１０９】
また、上記リターデーションＲｘｙが、上記パラメータα２の９０％以上かつ１１０％以下の値であり、しかも、上記リターデーションＲｚが、上記パラメータβ２の６５％以上かつ８５％以下の値であれば、上記着色および階調つぶれの改善効果が実質上飽和し、上記斜め方向からの観察者は、各リターデーションＲｘｙおよびＲｚが当該範囲に設定されている複数の液晶表示装置１ａ同士の間で、着色および階調つぶれの相違を確認できず、同程度の良好な表示品位が得られることを確認できた。
【０１１０】
なお、上記領域Ａ２におけるリターデーションＲｘｙの中心値は、上記斜め方向からコントラストを最大にする上記リターデーションＲｘｙ（＝α２）の１００％（同一の値）であることが確認できた。一方、上記領域Ａ２におけるリターデーションＲｚの中心値は、上記斜め方向からコントラストを最大にする上記リターデーションＲｚ（＝β２）の７５％であり、２軸性フィルム１６の厚み方向のリターデーションＲｚをコントラストの最適値β２よりも小さく設定する方が着色現象や階調つぶれを改善できることも確認できた。
【０１１１】
また、上記リターデーションＲｘｙを８０％〜１２０％に設定し、上記リターデーションＲｚを８５％〜９０％に設定すれば、着色や階調つぶれを許容範囲内に抑え、しかも、上記領域Ａ２に比較してコントラストを向上できることが確認できた。
【０１１２】
また、図１０に示す液晶表示装置１ｂのように、２軸性フィルム１６を２枚に分割した構成についても、上記リターデーションＲｌｃおよびＲｔａｃが、上記値のいずれであっても、上記斜め視角（極度６０度）において最大コントラストを得るためのリターデーションＲｘｙａ・Ｒｘｙｂ、Ｒｚａ・Ｒｚｂが、図１１の液晶表示装置１ａの値の半分であり、上記α２およびβ２に代えて、α３およびβ３を基準にすれば、上記液晶表示装置１ａと同様の範囲で同様の効果が得られることを確認した。具体的には、上記リターデーションＲｘｙａ・Ｒｘｙｂを上記α３の８０％〜１２０％に設定し、上記リターデーションＲｚａ・Ｒｚｂを上記β３の６０％〜９０％に設定することで、上記斜め視角（極度６０度）から見たときに着色および階調つぶれを許容範囲内に抑えることができることを確認した。また、上記リターデーションＲｘｙａ・Ｒｘｙｂが上記α３の９０％〜１１０％、かつ、上記リターデーションＲｚａ・Ｒｚｂが上記β３の６５％〜８５％の範囲では、上記斜め視角における着色および階調つぶれの改善効果が飽和し、同程度に良好な表示品位の液晶表示装置１ｂが得られることも確認できた。さらに、上記リターデーションＲｘｙａ・Ｒｘｙｂが上記α３の８０％〜１２０％、かつ、上記リターデーションＲｚａ・Ｒｚｂが上記β３の８５％〜９０％の範囲では、上記斜め視角における着色および階調つぶれを許容範囲内に抑えながらコントラストを向上できることを確認できた。
【０１１３】
なお、上述の第１および第２の実施形態では、液晶セル１１を図２ないし図４のように構成して、画素における液晶分子の配向方向を４つに分割する場合について説明したが、これに限るものではない。例えば、図１２および図１３に示す構造など、他の構造によって配向方向を４分割しても同様の効果が得られる。
【０１１４】
具体的には、図１２に示す画素電極２１ａを用いた液晶セルでは、図４に示す突起列２３ａ・２３ｂが省略されており、画素電極２１ａに四角錐状の突起２４が設けられている。なお、当該突起２４も、上記突起列２３ａと同様に、画素電極２１ａ上に、感光性樹脂を塗布し、フォトリソグラフィー工程で加工することによって形成できる。
【０１１５】
この構成でも、突起２４の近傍では、液晶分子が各斜面に垂直になるように配向する。加えて、電圧印加時において、突起２４の部分の電界は、突起２４の斜面に平行になる方向に傾く。これらの結果、電圧印加時において、液晶分子の配向角度の面内成分は、最も近い斜面の法線方向の面内成分（方向Ｐ１、Ｐ２、Ｐ３またはＰ４）と等しくなる。したがって、画素領域は、傾斜時の配向方向が互いに異なる、４つのドメインＤ１〜Ｄ４に分割される。この結果、図２ないし図４の構造の液晶セル１１と同様の効果が得られる。
【０１１６】
なお、例えば、４０インチのような大型の液晶テレビを形成する場合、各画素のサイズは、１ｍｍ四方程度と大きくなり、画素電極２１ａに１つずつ突起２４を設けただけでは、配向規制力が弱まり、配向が不安定になる虞れがある。したがって、この場合のように、配向規制力が不足する場合には、各画素電極２１ａ上に複数の突起２４を設ける方が望ましい。
【０１１７】
さらに、例えば、図１３に示すように、対向基板１１ｂの対向電極２１ｂ上にＹ字状のスリットを上下方向（面内で、略方形状の画素電極２１ａのいずれかの辺に平行な方向）に対称に連結してなる配向制御窓２５を設けても、マルチドメイン配向を実現できる。
【０１１８】
当該構成では、対向基板１１ｂの表面のうち、配向制御窓２５の直下の領域では、電圧を印加しても、液晶分子を傾斜させる程の電界がかからず、液晶分子が垂直に配向する。一方、対向基板１１ｂの表面のうち、配向制御窓２５の周囲の領域では、対向基板１１ｂに近づくに従って、配向制御窓２５を避けて広がるような電界が発生する。ここで、液晶分子は、長軸が電界に垂直な方向に傾き、液晶分子の配向方向の面内成分は、図中、矢印で示すように、配向制御窓２５の各辺に略垂直になる。したがって、この構成であっても、画素における液晶分子の配向方向を４つに分割でき、図２ないし図４の構造の液晶セル１１と同様の効果が得られる。
【０１１９】
また、上記では、配向方向を４分割する場合について説明したが、図１４および図１５に示すように、放射状配向の液晶セル１１を用いても同様の効果が得られる。
【０１２０】
具体的には、図１４に示す構造では、図１２に示す突起２４に代えて、略半球状の突起２６が設けられている。この場合も、突起２６の近傍では、液晶分子は、突起２６の表面に垂直になるように配向する。加えて、電圧印加時において、突起２６の部分の電界は、突起２６の表面に平行になる方向に傾く。これらの結果、電圧印加時に液晶分子が傾斜する際、液晶分子は、面内方向で突起２６を中心にした放射状に傾きやすくなり、液晶セル１１の各液晶分子は、放射状に傾斜配向できる。なお、上記突起２６も、上記突起２４と同様の工程で形成できる。また、上記突起２４と同様に、配向規制力が不足する場合には、各画素電極２１ａ上に複数の突起２６を設ける方が望ましい。
【０１２１】
また、図１５に示す構造では、図１２に示す突起２４に代えて、画素電極２１ａに円形のスリット２７が形成されている。これにより、電圧を印加した際、画素電極２１ａの表面のうち、スリット２７の直上の領域では、液晶分子を傾斜させる程の電界がかからない。したがって、この領域では、電圧印加時でも液晶分子は垂直に配向する。一方、画素電極２１ａの表面のうち、スリット２７近傍の領域では、電界は、スリット２７へ厚み方向で近づくに従って、スリット２７を避けるように傾斜して広がる。ここで、液晶分子は、長軸が垂直な方向に傾き、液晶の連続性によって、スリット２７から離れた液晶分子も同様の方向に配向する。したがって、画素電極２１ａに電圧を印加した場合、各液晶分子は、配向方向の面内成分が、図中、矢印で示すように、スリット２７を中心に放射状に広がるように配向、すなわち、スリット２７の中心を軸として軸対称に配向できる。ここで、上記電界の傾斜は、印加電圧によって変化するため、液晶分子の配向方向の基板法線方向成分（傾斜角度）は、印加電圧によって制御できる。なお、印加電圧が増加すると、基板法線方向に対する傾斜角が大きくなり、各液晶分子は、表示画面に略平行で、しかも、面内では放射状に配向する。また、上記突起２６と同様に、配向規制力が不足する場合には、各画素電極２１ａ上に複数のスリット２７を設ける方が望ましい。
【０１２２】
ところで、上記では、画素における液晶分子の配向方向が分割される場合について説明したが、配向分割しない液晶セル（モノドメインの液晶セル）であっても、略同様の効果が得られる。
【０１２３】
この場合、画素電極２１ａ・対向電極２２ｂには、突起列２３ａなどが設けられず、それぞれ平坦に形成されている。さらに、モノドメイン配向の液晶セルの場合、マルチドメイン配向や放射状傾斜配向の液晶セルとは異なり、製造工程にラビング工程が設けられており、液晶層１１ｃの液晶分子のラビング方向が、両基板１１ａ・１１ｂで反平行となるように設定される。また、上記ラビング方向と、偏光板１２・１３の吸収軸ＡＡ１２・ＡＡ１３とが４５度の角度になるように、液晶セル１１や偏光板１２・１３が配される。この場合であっても、電圧無印加時には、画素の液晶分子が、図２の場合と同様に、基板法線方向（垂直）に配向している。したがって、上記各実施形態と同様の偏光板１２・１３、および、位相差板（１４〜１６、１６ａ・１６ｂ）を用いることにより、同様の効果が得られる。
【０１２４】
ただし、図１および図８に示す液晶表示装置１・１ａは、液晶セル１１から一方の偏光板１２までに配される部材の光学的特性と、液晶セル１１から他方の偏光板１３までに配される部材の光学的特性とが一致しないので、液晶セル１１を左の方位または右の方位から見たときのコントラストと、液晶セル１１を上の方位または下の方位から見たときのコントラストとが、互いに異なる虞れがある。したがって、これらの液晶表示装置１・１ａにおいて、上下左右の視角特性のバランスを取ることが要求される場合は、４分割配向や放射状配向など、各画素の液晶分子の配向方向が４方向以上に分割される液晶セルを用いる方が望ましい。
【０１２５】
また、上記では、液晶セル１１の液晶層１１ｃが負の誘電異方性を有する場合を例にして説明したが、これに限るものではない。正の誘電異方性を有する場合であっても、図２と同様に、黒表示時に液晶分子が液晶セル１１の基板に対して垂直に配向する液晶セルであれば、同様の効果が得られる。
【０１２６】
この場合は、例えば、ＩＰＳ（In-Plane Switching）モードで用いる櫛歯電極構造のように、基板平行方向に電界を発生させる電極を用いることによって、液晶層１１ｃに基板平行方向に電界を印加する。この場合であっても、電圧無印加時（無電界時）には、画素の液晶分子は、図２と同様に、基板に対して垂直方向に配向する。したがって、上記各実施形態と同様の偏光板１２・１３、および、位相差板（１４〜１６、１６ａ・１６ｂ）を用いることで、同様の効果が得られる。
【図面の簡単な説明】
【０１２７】
【図１】本発明の実施形態を示すものであり、液晶表示装置の要部構成を示す模式図である。
【図２】上記液晶表示装置に設けられた液晶セルを示すものであり、電圧無印加状態を示す模式図である。
【図３】上記液晶表示装置に設けられた液晶セルを示すものであり、電圧印加状態を示す模式図である。
【図４】上記液晶セルの構成例を示すものであり、画素電極近傍を示す平面図である。
【図５】上記液晶表示装置に設けられた正の１軸性フィルムの面内方向のリターデーションおよび負の１軸性フィルムの厚み方向のリターデーションの好適な範囲を示すものであり、各リターデーションを、それぞれに関するパラメータに対する相対値で示した図面である。
【図６】本発明の実施例を示すものであり、液晶セルと偏光板との組み合わせについて、上記各リターデーションの最適値の実験結果を示す図面である。
【図７】液晶表示装置において、コントラストの評価方法を示す図面である。
【図８】本発明の他の実施形態を示すものであり、液晶表示装置の要部構成を示す模式図である。
【図９】上記液晶表示装置に設けられた２軸性フィルムの面内方向のリターデーションおよび厚み方向のリターデーションの好適な範囲を示すものであり、各リターデーションを、それぞれに関するパラメータに対する相対値で示した図面である。
【図１０】上記液晶表示装置の変形例を示すものであり、液晶表示装置の要部構成を示す模式図である。
【図１１】本発明の実施例を示すものであり、液晶セルと偏光板との組み合わせについて、上記各リターデーションの最適値の実験結果を示す図面である。
【図１２】上記各液晶表示装置の他の構成例を示すものであり、液晶セルの画素電極を示す斜視図である。
【図１３】上記各液晶表示装置のさらに他の構成例を示すものであり、液晶セルの画素電極近傍を示す平面図である。
【図１４】上記各液晶表示装置の別の構成例を示すものであり、液晶セルの画素電極を示す斜視図である。
【図１５】上記各液晶表示装置のまた別の構成例を示すものであり、液晶セルの画素電極および対向電極を示す斜視図である。
【図１６】従来技術を示すものであり、液晶表示装置の要部構成を示す模式図である。
【図１７】他の従来技術を示すものであり、液晶表示装置の要部構成を示す模式図である。
【符号の説明】
【０１２８】
１・１ａ〜１ｂ  液晶表示装置
１１    液晶セル
１１ａ  Thin Film Transistor基板（基板）
１１ｂ  対向基板（基板）
１１ｃ  液晶層（液晶）
１２・１３    偏光板
１２ｂ・１３ｂ  トリアセチルセルロースフィルム（基材フィルム）
１４    正の１軸性フィルム（第１位相差フィルム）
１５    負の１軸性フィルム（第２位相差フィルム）
１６    ２軸性フィルム（位相差フィルム）
１６ａ・１６ｂ  ２軸性フィルム（第１および第２位相差フィルム）
【図１】
2005266829.tif 000003
【図２】
2005266829.tif 000004
【図３】
2005266829.tif 000005
【図４】
2005266829.tif 000006
【図５】
2005266829.tif 000007
【図６】
2005266829.tif 000008
【図７】
2005266829.tif 000009
【図８】
2005266829.tif 000010
【図９】
2005266829.tif 000011
【図１０】
2005266829.tif 000012
【図１１】
2005266829.tif 000013
【図１２】
2005266829.tif 000014
【図１３】
2005266829.tif 000015
【図１４】
2005266829.tif 000016
【図１５】
2005266829.tif 000017
【図１６】
2005266829.tif 000018
【図１７】
2005266829.tif 000019